(57)【特許請求の範囲】
【請求項１】
建物内の寝室に設けられる寝室用光覚醒システムであり、
特定の領域又は特定の方向に光を照射する光源手段と、
ユーザの操作入力に応じて起床時刻と起床対象者とを設定する設定手段と、
前記起床時刻に対応する時刻において前記光源手段を作動させ、その時の起床対象者に対して光照射を行う光照射実行手段と、
を備え、
前記光源手段は、前記寝室に設置され、映像の投射が可能であるプロジェクタ装置であり、
前記プロジェクタ装置の光軸方向を変更する光軸可変機能が設けられ、
前記光照射実行手段は、ユーザが指定する映像をスクリーン部に投射する映像鑑賞モードと、ユーザの起床時に光照射を行う覚醒モードとで前記プロジェクタ装置の光軸方向を変更することを特徴とする寝室用光覚醒システム。
【請求項２】
寝室内のユーザの睡眠状態を判定する睡眠状態判定手段を備え、
前記光照射実行手段は、前記睡眠状態判定手段により判定したユーザの睡眠状態に応じて前記映像鑑賞モードから前記覚醒モードへの変更を実行することを特徴とする請求項１に記載の寝室用光覚醒システム。
【請求項３】
前記睡眠状態判定手段は、人体センサの検出信号に基づいてユーザの睡眠状態を判定することを特徴とする請求項２に記載の寝室用光覚醒システム。
【請求項４】
建物内の寝室に設けられる寝室用光覚醒システムであり、
特定の領域又は特定の方向に光を照射する光源手段と、
ユーザの操作入力に応じて起床時刻と起床対象者とを設定する設定手段と、
前記起床時刻に対応する時刻において前記光源手段を作動させ、その時の起床対象者に対して光照射を行う光照射実行手段と、
映像ソフトを再生する再生装置と、
を備え、
前記光源手段は、前記寝室に設置され、映像の投射が可能であるプロジェクタ装置であり、
前記プロジェクタ装置の光軸方向を変更する光軸可変機能が設けられ、
前記プロジェクタ装置は、前記再生装置により再生した再生映像を投射することが可能であり、
前記光照射実行手段は、前記再生映像を前記プロジェクタ装置の前記光軸可変機能により起床対象者に向けて投射することを特徴とする寝室用光覚醒システム。
【請求項５】
複数の起床対象者の起床順序、及び起床時刻の時間差に応じて個別に映像ソフトを用意しておき、
前記光照射実行手段は、寝室内で寝ている人の各々の起床時刻に対応する前記映像ソフトを再生して前記光照射を実行することを特徴とする請求項４に記載の寝室用光覚醒システム。
【請求項６】
前記映像ソフトは、寝室内で寝ている人を各々含む領域ごとに照度調整された映像を記憶したものであり、その再生映像は、その時々の起床対象者を覚醒させる際に、該当する領域を明るくし、それ以外の領域を暗くするものであることを特徴とする請求項４又は５に記載の寝室用光覚醒システム。
【請求項７】
前記映像ソフトは、再生映像が徐々に明るくなる第１シーンと、その後最大照度となる第２シーンとを有するものであり、
前記光照射実行手段は、前記起床時刻よりも前に前記第１シーンが再生され、その後起床時刻に至った時に前記第２シーンが再生されるよう前記再生装置による映像ソフトの再生を実行することを特徴とする請求項４乃至６のいずれかに記載の寝室用光覚醒システム。
【請求項８】
前記プロジェクタ装置の光照射範囲を可変とする絞り装置を備えていることを特徴とする請求項４乃至７のいずれかに記載の寝室用光覚醒システム。
【請求項９】
プロジェクタ装置本体の角度を調整する角度調整アクチュエータを備え、
前記角度調整アクチュエータにより前記光軸方向が変更されることを特徴とする請求項４乃至８のいずれかに記載の寝室用光覚醒システム。
【発明の詳細な説明】
【技術分野】
【０００１】
本発明は、寝室内で寝ているユーザを光照射により覚醒させる寝室用光覚醒システムに関するものである。
【背景技術】
【０００２】
近年では、寝室内の睡眠環境を改善するための各種技術が提案されており、その一つとして就寝中のユーザを快適に目覚めさせるための技術改善もなされている。例えば、特許文献１の目覚まし装置では、朝が来たように室内を明るくする照明と、朝の景色を窓越しに見えるように映像を映す映像装置と、朝を告げる小鳥のさえずりを発生する音声発生装置と、快適な温度の空気を吐き出す空調装置とを有する構成としており、それら各装置を各々制御することで快適に起床できるようにしていた。
【０００３】
しかしながら、上記特許文献１の技術は、室内環境自体を変更するものであるため、同じ寝室内に複数の人が寝ている場合に、起床したい人以外の人も起こしてしまうという不都合が生じる。この場合、希望する時間よりも早い時間に起こされる人（同室者）にとっては不快感が生じることとなる。上記特許文献１中には、「穏やかな刺激で足りるため、同室者に迷惑がかかるおそれもない」との記載があるが、室内環境を調整することによる影響は寝室内の各人全てに及ぶため、同室者への影響は避けられないと考えられる。なお、同室者への影響を軽減するためには照明光や小鳥のさえずり音を弱めにすると良いが、これでは本来起床したい人の目覚まし効果が損なわれると考えられる。
【特許文献１】実開平５−３８５９５号公報
【発明の開示】
【発明が解決しようとする課題】
【０００４】
本発明は、寝室内で複数の人が寝ている場合において各人にとって快適なる目覚めを実現することができる寝室用光覚醒システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
手段１．建物内の寝室（寝室１０）に設けられる寝室用光覚醒システムであり、特定の領域又は特定の方向に光を照射する光源手段（プロジェクタ装置１５等）と、ユーザの操作入力に応じて起床時刻と起床対象者とを設定する設定手段（設定装置１３等）と、前記起床時刻に対応する時刻において光源手段を作動させ、その時の起床対象者に対して光照射を行う光照射実行手段（コントローラ４１等）と、を備える。この場合、ユーザが指定した起床時刻において、特定のユーザ（就寝者）にのみ光照射が行われる。これにより、同じ寝室内で複数の人が寝ている場合に、起床したい人だけを個別覚醒させることができる。その結果、寝室内で複数の人が寝ている場合において各人にとって快適なる目覚めを実現することができる。
【０００７】
手段２．映像を投射可能なプロジェクタ装置（プロジェクタ装置１５）を設置した寝室に適用され、プロジェクタ装置を前記光源手段として利用して前記光照射を実行する。この場合、寝室では、プロジェクタ装置によって投影される映画等の映像をくつろぎながら鑑賞することができる。また、そのプロジェクタ装置の活用により快適なる目覚めを実現することができる。
【０００８】
手段３．プロジェクタ装置による光照射範囲を起床対象者に合わせて変更すると良い。これにより、寝室内で寝ている人の起床時間が異なる場合において個別覚醒を好適に実現できる。なおこの場合、寝室内で寝ている人の起床時間が異なる場合には光照射を個別に行い、起床時間が同一の場合には光照射をまとめて行うと良い。
【０００９】
手段４．プロジェクタ装置による照射光の強さを起床時刻を基準として所定の態様で調整すると良い。この場合、照射光の強さを大小調整することにより、ユーザが完全に覚醒状態となる以前に睡眠状態に変化を与えることができる。例えば、起床の前段階として、弱い光をユーザ（起床対象者）に照射し、睡眠深度を浅くすることが考えられる。
【００１０】
手段５．起床時刻よりも前にプロジェクタ装置による光照射を開始し、その後起床時刻に至った時に照射光の強さが最大となるよう照射光の強さを徐々に大きくすると良い。この場合、ユーザが希望する起床時刻に至るまでに睡眠深度を徐々に浅くすることができ、起床対象者を起床時刻に無理なく目覚めさせることができる。したがって、快適なる目覚め（光覚醒）が実現できる。
【００１１】
手段６．生体センサ等の計測情報を用いて起床対象者の睡眠状態（睡眠深さ等）を判定する手段を備え、前記光照射を行う際、起床対象者の睡眠状態に応じてプロジェクタ装置による照射光の強さを調整すると良い。この場合、より望ましくは、起床対象者の起床時刻と睡眠状態との相関に応じてプロジェクタ装置による照射光の強さを調整する。例えば、起床時刻間近になっても睡眠深さが深いままであれば照射光の強さを大きくし、逆に、起床時刻間近になって睡眠状態が十分に浅ければ照射光の強さをそれ以上大きくしないようにする。本構成によれば、睡眠状態に応じた光照射を行うことにより、起床時刻よりも前に目が覚めてしまったり、起床時刻にて快適に目を覚ますことができなかったりする不都合が解消できる。したがって、快適なる目覚め（光覚醒）が実現できる。
【００１２】
手段７．映像ソフトを再生する再生装置（映像再生装置４５）を備え、該再生装置により再生した映像を前記プロジェクタ装置により投射する構成において、再生装置による再生映像をプロジェクタ装置により起床対象者に投射することで前記光照射を実行する。この場合、光の照射範囲や照射強さなどを映像情報として持たせることにより、それら照射範囲や照射強さを調整するための調整装置（コントローラを含む）や機構などが不要となる。したがって、寝室内で寝ている人の個別覚醒を比較的簡易に実現することができる。
【００１３】
手段８．複数の起床対象者の起床順序、及び起床時刻の時間差に応じて個別に映像ソフトを用意しておき、寝室内で寝ている人の各々の起床時刻に対応する映像ソフトを再生して前記光照射を実行する。この場合、どの映像ソフトを再生するかにより、上記の個別覚醒を好適に行わせることができる。
【００１４】
手段９．前記映像ソフトは、寝室内で寝ている人を各々含む領域ごとに照度調整された映像を記憶したものであり、その再生映像は、その時々の起床対象者を覚醒させる際に、該当する領域を明るくし、それ以外の領域を暗くするものである。この場合、再生映像は、投影領域ごとに光照度が異なるものであれば良いため、基本的には明るさが異なる単純な映像で良く、簡易に実現できると考えられる。
【００１５】
手段１０．前記映像ソフトは、再生映像が徐々に明るくなる第１シーンと、その後最大照度となる第２シーンとを有するものであり、前記起床時刻よりも前に第１シーンが再生され、その後起床時刻に至った時に第２シーンが再生されるよう再生装置による映像ソフトの再生を実行する。この場合、ユーザが希望する起床時刻に至るまでに睡眠深度を徐々に浅くすることができ、起床対象者を起床時刻に無理なく目覚めさせることができる。したがって、快適なる目覚め（光覚醒）が実現できる。
【００１６】
手段１１．プロジェクタ装置の光軸方向を変更する光軸可変機能を備えている。そして、ユーザが指定する映像をスクリーン部に投射する映像鑑賞モードと、ユーザの起床時に光照射を行う覚醒モードとでプロジェクタ装置の光軸方向を変更する。この場合、２つのモード（映像鑑賞モード、覚醒モード）の変更により、プロジェクタ装置を映画等の鑑賞に用いる状態と、同プロジェクタ装置を目覚ましに用いる状態とを好適に使い分けることができる。
【００１７】
手段１２．寝室内のユーザの睡眠状態を判定し、該判定したユーザの睡眠状態に応じて前記映像鑑賞モードから前記覚醒モードへの変更を実行する。この場合、ユーザが睡眠状態になったことをトリガとして、翌朝の光覚醒の準備を行うことができる。
【００１８】
手段１３．人体センサの検出信号に基づいてユーザの睡眠状態を判定すると良い。人体センサは、脈拍、体動、皮膚温度、皮膚電位等を生体情報として計測する生体情報検出手段であり、該センサによればユーザの生体情報をリアルタイムで計測することができ、ひいては睡眠状態を正しく知ることができる。
【００１９】
手段１４．複数の人が就寝するための１又は複数のベッド（ベッド１０１）を設置した寝室に適用され、該ベッド上に寝ている人の上方より光照射可能となるよう前記光源手段（照明ランプ１０４）を設置した。この場合、ベッド上で寝ているユーザに対して上方から照射光を浴びせることができ、就寝中のユーザを確実に目覚めさせることができる。
【００２０】
なお、ヘッドボード（ヘッドボード１０２）を有するベッドでは、そのヘッドボードに光源手段（照明ランプ１０４）を設置すると良い。この場合、寝ている人の頭に向けて近い位置から光照射を行うことができ、目覚まし効果が十分に発揮されるようになる。
【００２１】
手段１５．複数の人が就寝するための１又は複数のベッド（ベッド５１，５２）を設置するとともに、該ベッドの上方に天蓋（天蓋５７）を設置した寝室に適用され、その天蓋に光源手段（照明器具７４）を設置することも可能である。この場合、天蓋から光が照射されることにより、ベッド上で寝ているユーザに対して上方から照射光を浴びせることができ、就寝中のユーザを確実に目覚めさせることができる。
【００２２】
手段１６．天蓋を上下方向に変位させるための駆動機構を備えていると良い。ユーザによっては、天井高さが変わることで安心感が生じ、快適なる睡眠状態が得られるようになることが考えられる。例えば、天蓋を下げて下がり天井とすることで安心感が生じる場合がある。したがって、天蓋を上下動させることにより、睡眠の快適性を高めることができる。
【００２３】
手段１７．ベッド上に寝ている人を検知する人検知センサ（人検知センサ７６等）を有し、人検知センサの検知結果に応じて光源手段の光照射方向を可変とすると良い。この場合、ベッド上に寝ている人に対して確実に照射光を当てることができる。なお、人検知センサとしては、天蓋、寝室の壁面、ベッドのヘッドボード等に設けた人感センサを用いたり、ユーザの人体に装着した人体センサを用いたりすると良い。
【００２４】
手段１８．ベッド上で用いる枕（長枕１２１）に、ユーザの頭部位置を検知する頭部検知センサ（センサユニット１２２）を設け、該頭部検知センサの検知結果に応じて光源手段の光照射方向を可変とすると良い。この場合、ベッド上に寝ている人の頭部に対して確実に照射光を当てることができる。
【００２５】
手段１９．前記枕は複数の人が共用する長枕であり、当該枕を共用する人ごとに系統分けして頭部検知センサを設けた。これにより、複数の人が枕を共用する場合にも、各人ごとに頭部位置を検知することができ、ユーザ個別の光覚醒が可能となる。
【００２６】
手段２０．寝室で使用する枕（目覚まし枕１６０）の内部に前記光源手段（光源装置１６６）を収納し、枕本体（枕本体１６１）に設けた光透過孔（貫通孔１６４）を通じて前記光源手段の照射光を外部に放射させる。この場合、枕上には就寝者の頭が載っているため、この枕から光が照射される構成はユーザを起床させるには効果的な手段であると考えられる。
【００２７】
手段２１．前記枕において、ユーザの頭部を載置するための頭部載置面（頭載せ部１６２）に前記光透過孔を開口させ、その頭部載置面を発光面とした。この場合、照射光は基本的に上方にのみ放射されるため、側方に別人（同室者）が寝ていたとしても、その別人への影響を小さくできる。
【００２８】
手段２２．枕に人検知センサを設置し、その人検知センサの検知結果に基づいて前記光照射を実行する。これにより、実際に本目覚まし用の枕を使っている場合のみ光照射が行われ、不要な光照射を行わせないようにすることができる。
【００２９】
手段２３．光源手段による照射光の強さを起床時刻を基準として所定の態様で調整すると良い。この場合、照射光の強さを大小調整することにより、ユーザが完全に覚醒状態となる以前に睡眠状態に変化を与えることができる。例えば、起床の前段階として、弱い光をユーザ（起床対象者）に照射し、睡眠深度を浅くすることが考えられる。
【００３０】
手段２４．起床時刻よりも前に光源手段による光照射を開始し、その後起床時刻に至った時に照射光の強さが最大となるよう照射光の強さを徐々に大きくすると良い。この場合、ユーザが希望する起床時刻に至るまでに睡眠深度を徐々に浅くすることができ、起床対象者を起床時刻に無理なく目覚めさせることができる。したがって、快適なる目覚め（光覚醒）が実現できる。
【００３１】
手段２５．生体センサ等の計測情報を用いて起床対象者の睡眠状態（睡眠深さ等）を判定する手段を備え、前記光照射を行う際、起床対象者の睡眠状態に応じて光源手段による照射光の強さを調整すると良い。この場合、より望ましくは、起床対象者の起床時刻と睡眠状態との相関に応じて光源手段による照射光の強さを調整する。例えば、起床時刻間近になっても睡眠深さが深いままであれば照射光の強さを大きくし、逆に、起床時刻間近になって睡眠状態が十分に浅ければ照射光の強さをそれ以上大きくしないようにする。本構成によれば、睡眠状態に応じた光照射を行うことにより、起床時刻よりも前に目が覚めてしまったり、起床時刻にて快適に目を覚ますことができなかったりする不都合が解消できる。したがって、快適なる目覚め（光覚醒）が実現できる。
【発明を実施するための最良の形態】
【００３２】
（第１の実施の形態）
以下、本発明を具体化した第１の実施の形態を図面に基づいて説明する。図１は、住宅内に設けられた寝室の概略構成を示す図である。この寝室はホームシアターを兼ねるものとなっており、寝室内において就寝できる他、映画やビデオ画像などの各種映像を鑑賞できるようになっている。なお図１において、（ａ）は寝室１０の平面図、（ｂ）は寝室１０の正面図である。
【００３３】
図１において、寝室１０には２つのベッド１１，１２が横に並べて設置されている。また、寝室１０の壁面には、目覚ましタイマの設定機能などを有する設定装置１３が設置されている。ただし、設定装置１３は、壁面に設置される他、各ベッド１１，１２のヘッドボード１１ａ，１２ａや、各ベッド１１，１２間に設置されるナイトテーブル（図示略）等に設けられていても良い。
【００３４】
また、ヘッドボード１１ａ，１２ａ側の壁面には、投影型映像装置であるプロジェクタ装置１５が取り付けられ、その反対側の壁面にはスクリーン１６が取り付けられている。プロジェクタ装置１５には、図示しない映像再生装置やパソコン等から映像信号が入力され、その映像信号に基づいて映像が投影出力される。その他、寝室１０の壁面にはスピーカ装置１８が取り付けられている。
【００３５】
寝室１０で映画等を鑑賞する場合には、プロジェクタ装置１５を作動させて画像をスクリーン１６上に投影させる。この場合、図示するように、投影映像は寝室１０内を横断するようにして投射され、ユーザはベッド１１，１２上でくつろぎながら映画等を鑑賞することができるようになっている。
【００３６】
また、プロジェクタ装置１５は、上記のように映画等の映像をスクリーン１６上に投影する映像投影機能を有する他、ベッド１１，１２で就寝中のユーザを目覚めさせる目覚まし機能（光覚醒機能）を有する。ここで、光覚醒を行う場合には、図２の（ａ）に示すように、プロジェクタ装置１５の光軸方向を変更し、下方へ向けて光を照射させるようにする。これにより、就寝中のユーザの頭部に向けて光を照射し、その光によってユーザを目覚めさせる（覚醒させる）ことができるようになっている。
【００３７】
本実施の形態では特に、左右２つのベッド１１，１２に寝ているユーザを個別に目覚めさせることができるようになっており、プロジェクタ装置１５の光照射範囲が図２の（ｂ），（ｃ），（ｄ）のように適宜切り替えられる。（ｂ）の場合、ベッド１１に対して光が照射され、（ｃ）の場合、ベッド１２に対して光が照射され、（ｄ）の場合、ベッド１１及びベッド１２に対して光が照射される。プロジェクタ装置１５の光照射範囲を可変とする構成としては任意の構成が適用できるが、本実施の形態では絞り装置を用いて光照射範囲を可変とする。
【００３８】
次に、プロジェクタ装置１５の構成について図３及び図４を用いて説明する。図３（ａ），（ｂ）はプロジェクタ装置１５の構成を示す斜視図、図４は図３（ａ）のＡ−Ａ線断面図である。
【００３９】
プロジェクタ装置１５は、寝室１０の壁面に固定されるブラケット２１と、画像生成素子や投影レンズ等の投影機構を備えたプロジェクタ本体２２とを有し、ブラケット２１の先端部に上下方向に揺動可能にプロジェクタ本体２２が取り付けられている。ブラケット２１は、室内側に起立する起立部２３を有し、その起立部２３の先端部分に、プロジェクタ本体２２に連結される連結部２４が設けられている。連結部２４にはその中央に貫通孔２５が形成されるとともに、その貫通孔２５と同軸をなす円上に内歯２６が形成されている。
【００４０】
また、プロジェクタ本体２２には、ブラケット２１の連結部２４に連結される被連結部３１が設けられており、その被連結部３１にはその中央に貫通孔３２が形成されるとともに、その貫通孔３２を囲むようにして３つのピニオンギア３３が設けられている。
【００４１】
そして、ブラケット２１とプロジェクタ本体２２とが結合され、更に各々の貫通孔２５，３２にシャフト３５が挿通されることにより、ブラケット２１に対してプロジェクタ本体２２が揺動可能となっている。このとき、ブラケット２１側の内歯２６とプロジェクタ本体２２側のピニオンギア３３とが噛み合っており、ピニオンギア３３が正逆いずれかの方に回転することによりプロジェクタ本体２２の角度が調整できるようになっている。なお、符号３６ａ，３６ｂは、プロジェクタ本体２２の揺動範囲を規定するためのストッパである。
【００４２】
プロジェクタ本体２２には角度調整アクチュエータが内蔵されており、その構成を図４を用いて簡単に説明する。すなわち、上記３つのピニオンギア３３は、１つが動力歯車、２つが自由歯車となっており、動力歯車がモータ部３７の駆動により回転する。モータ部３７は、アーマチャ３７ａとウォームギア３７ｂとヘリカルギア３７ｃとを有する。また、モータ部３７には、ホール素子等よりなる位置検出素子３８が設けられており、位置検出素子３８の検出結果を参照しつつプロジェクタ本体２２の角度位置が調整されるようになっている。
【００４３】
なお、上記構成ではプロジェクタ本体２２に角度調整アクチュエータを内蔵したが、これに代えてブラケット２１に同アクチュエータを内蔵することも可能である。また、角度調整アクチュエータの構成としては、上記以外にも任意の構成が適用できる。
【００４４】
ところで、プロジェクタ装置１５による目覚まし用の光照射は、ユーザが指定した起床対象者に対して起床時刻に応じて行われる。このとき、プロジェクタ装置１５の光軸調整、光照射範囲の設定、照度調整は、周知のマイクロコンピュータ等を用いて構成されるコントローラにより実施される。図５に、本システムの電気的な構成の概略を示す。寝室１０においてコントローラ４１の設置場所は任意であるが、例えば設定装置１３と一体に設けられる。
【００４５】
ここで、ユーザが設定装置１３の入力操作を行うことにより、各ベッド１１，１２で別々に就寝するユーザ（ユーザＡ，Ｂ）ごとに起床時刻が設定され、その起床時刻情報がコントローラ４１に入力される。コントローラ４１は、ユーザごとの起床時刻情報などに基づいてプロジェクタ装置１５の角度調整アクチュエータの制御や光照射調整などを実行する。このとき、コントローラ４１は、ユーザが心地よく目覚めることができるよう、光照度（照射光の強さ）を可変調整する。具体的には、ユーザが設定した起床時刻を基準に、所定時間前からユーザに対する光照射を開始する。そして、その後徐々に光照度を上げていき、起床時刻で丁度目が覚めるよう照度調整を実施する。
【００４６】
また、設定装置１３は、ユーザの入力操作に応じて目覚まし停止信号（リセット信号）を出力し、コントローラ４１は、目覚まし停止信号に入力に基づいてプロジェクタ装置１５による光照射を停止させる。
【００４７】
また、コントローラ４１は、翌朝にプロジェクタ装置１５による目覚ましがセットされている場合において、ユーザの就寝後に角度調整アクチュエータによってプロジェクタ装置１５の光軸調整を実施する。一例として本実施の形態では、モード切り替えによりプロジェクタ装置１５の光軸調整が行われるようになっており、映画鑑賞時等において映像を投影する映像鑑賞モードではほぼ水平方向に光軸が調整され（図１参照）、ユーザの起床時に光照射を行う覚醒モードでは下方に向けて光軸が調整される（図２参照）。このとき、寝室１０内の照明がＯＦＦされたことや都度の時刻情報などを基に、ユーザの就寝確認が行われ、その就寝確認後に上記の光軸調整が行われると良い。
【００４８】
その他、人体センサ等に基づいてユーザの睡眠状態を判定し、該判定したユーザの睡眠状態に応じて上記の光軸調整（映像鑑賞モードから覚醒モードへのモード変更）を実行するようにしても良い。この場合、ユーザが睡眠状態になったことをトリガとして、翌朝の光覚醒の準備を行うことができる。なお、人体センサは、ユーザの腕などに装着できるウエアラブル式のセンサであると良く、その人体センサの検出信号がコントローラ４１に入力される。コントローラ４１は、人体センサにより計測される脈拍、体動、皮膚温度、皮膚電位等の生体情報に基づいて睡眠状態を判定する。
【００４９】
図６は、プロジェクタ装置１５による目覚まし動作を示すタイムチャートである。ここでは、ベッド１１で就寝しているユーザＡの起床時刻がＡＭ７：００であり、ベッド１２で就寝しているユーザＢの起床時刻がＡＭ８：００である場合を想定している。
【００５０】
図６において、ユーザＡの起床時刻よりも３０分前のＡＭ６：３０になると、ユーザＡ側の光照射が開始される。その後、実際の起床時刻（ＡＭ７：００）に照射光の強さが最大となるように照度調整が行われる。そして、起床時刻（ＡＭ７：００）を過ぎ、ユーザの入力操作に伴いコントローラ４１に目覚まし停止信号が入力されると、その後ユーザＡ側の光照射が停止される。
【００５１】
目覚まし停止信号が入力されてもユーザが直ぐに起きるとは限らない。また、ユーザが起きたとしても、その後起きる準備等をしたりすることが考えられる。故に、目覚まし停止信号の入力後、所定時間が経過した後に、プロジェクタ装置１５による光照射が停止されるようになっている。ただし、目覚まし停止信号により光照射を自動停止する構成は任意であり、ユーザが起床した後も、そのまま光照射の状態が継続されていても良い。目覚まし停止信号とは無関係に、起床時刻から所定時間が経過したタイミングで光照射が自動停止される構成とすることも可能である。
【００５２】
また、ユーザＢの起床時刻よりも３０分前のＡＭ７：３０になると、ユーザＢ側の光照射が開始される。その後、実際の起床時刻（ＡＭ８：００）に照射光の強さが最大となるように照度調整が行われる。そして、起床時刻（ＡＭ８：００）を過ぎ、ユーザの入力操作に伴いコントローラ４１に目覚まし停止信号が入力されると、その後ユーザＢ側の光照射が停止される。
【００５３】
図７及び図８は、各ベッド１１，１２に寝ているユーザＡ，Ｂへの実際の光照射状況を示す略図である。
【００５４】
図７の（ａ），（ｂ）は、起床時刻前にユーザＡ側の光照度が徐々に上がっていく過程を示しており、これは上記図６の事例ではＡＭ６：３０〜７：００の期間内の状態を示す。また、（ｃ）は、起床時刻後においてユーザＡ側の光照度が最大となった状態を示し、この状態でユーザＡが起床する。ユーザＢ側に関しては、図７の（ａ），（ｂ），（ｃ）を通じて光照射が行われることはなく、暗い状態のままとなっている。したがって、ユーザＢがユーザＡと共に起床する（すなわち本来の起床時刻前に起床してしまう）ことがないようになっている。
【００５５】
一方、図８は、ユーザＡ，Ｂを同時刻に起床させる場合を示す。図８の（ａ），（ｂ）は、起床時刻前にユーザＡ，Ｂ両側の光照度が徐々に上がっていく過程を示し、（ｃ）は、起床時刻後においてユーザＡ，Ｂ両側の光照度が最大となった状態を示す。（ｃ）の状態でユーザＡ，Ｂ両者が起床する。
【００５６】
以上詳述した本実施の形態によれば、ユーザが指定した起床時刻において、特定のユーザ（就寝者）にのみ光照射が行われるため、同じ寝室内で複数の人が寝ている場合に、起床したい人だけを個別覚醒させることができる。その結果、寝室１０内で複数の人が寝ている場合において各人にとって快適なる目覚めを実現することができる。
【００５７】
映像を投射可能なプロジェクタ装置１５を光源手段として利用したため、寝室１０内で映画鑑賞等を楽しむことができるとともに、同プロジェクタ装置１５の活用により快適なる目覚めを実現することができる。
【００５８】
起床時刻よりも前にプロジェクタ装置１５による光照射を開始し、その後起床時刻に至った時に照射光の強さが最大となるよう照射光の強さを徐々に大きくするようにしたため、ユーザが希望する起床時刻に至るまでに睡眠深度を徐々に浅くすることができ、起床対象者を起床時刻に無理なく目覚めさせることができる。したがって、快適なる目覚め（光覚醒）が実現できる。
【００５９】
映像鑑賞モードと覚醒モードとでプロジェクタ装置１５の光軸方向を変更するようにしたため、それらのモード変更により、プロジェクタ装置１５を映画等の鑑賞に用いる状態と、同プロジェクタ装置１５を目覚ましに用いる状態とを好適に使い分けることができる。
【００６０】
光覚醒を行う場合における光照射の態様を以下のように変更することも可能である。例えば、生体センサ等の計測情報を用いて起床対象者の睡眠状態（睡眠深さ等）を判定し、その睡眠状態に応じてプロジェクタ装置１５による照射光の強さを調整する。この場合、起床対象者の起床時刻と睡眠状態との相関に応じてプロジェクタ装置１５による照射光の強さを調整すると良い。具体的には、起床時刻間近になっても睡眠深さが深いままであれば照射光の強さを大きくし、逆に、起床時刻間近になって睡眠状態が十分に浅ければ照射光の強さをそれ以上強くしないようにする。本構成によれば、睡眠状態に応じた光照射を行うことにより、起床時刻よりも前に目が覚めてしまったり、起床時刻にて快適に目を覚ますことができなかったりする不都合が解消できる。したがって、快適なる目覚めが実現できる。
【００６１】
上記実施の形態では、各ユーザの起床時刻になった後は、プロジェクタ装置１５による照射光の強さを最大としたが、これを変更し、起床時刻以降にプロジェクタ装置１５によって点滅光（フラッシュ光）を照射する構成としても良い。この場合、光の点滅によりユーザはより一層眩しさを感じるため、確実に目覚めさせることができる。
【００６２】
上記実施の形態では、角度調整アクチュエータを具備するプロジェクタ装置１５を用い、その角度調整アクチュエータの作動により光軸調整を行ったが、この構成を変更する。例えば、プロジェクタ装置１５の前方に反射板を設け、その反射板の角度を調整することで、光軸調整を行うようにすることも可能である。反射板の角度調整機構は手動式又は電動式のいずれでも良いが、望ましくは電動とし、コントローラ４１によって自動調整されると良い。
【００６３】
上記実施の形態では、寝室１０の壁面やベッド１１，１２のヘッドボードに設定装置１３を設置する構成を説明したが、これを変更し、ユーザが任意に持ち運びできる携帯端末に、設定装置１３の機能を内蔵させることも可能である。この場合、携帯端末とプロジェクタ装置１５とは無線通信によって情報のやりとりが行われる。
【００６４】
寝室１０内に設けたスピーカを用い、音声による目覚ましを併用しても良い。ただしこの場合、音声による目覚ましでは、二人のユーザに対しての個別覚醒が困難になるおそれがあるため、ベッド上におけるユーザの頭部付近にスピーカを設置し、そのスピーカをユーザごとに作動させると良い。
【００６５】
（第２の実施の形態）
上記実施の形態では、プロジェクタ装置１５によりユーザの頭部に各々光照射を行うことでユーザを個別に目覚めさせる（覚醒させる）ようにしていたが、本実施の形態では、映像再生装置により所定の目覚まし用映像ソフトを再生し、その再生映像をプロジェクタ装置１５によりユーザの頭部に投射することでユーザを個別に目覚めさせる（覚醒させる）こととする。この場合、複数の目覚まし用映像ソフトを映像再生装置のメモリ（ハードディスク等）に登録しておき、その映像ソフトを選択的に再生する。又は、目覚まし用映像ソフトが記憶された記憶媒体を映像再生装置にセットし、それを再生する。
【００６６】
すなわち、図９に示すように、映像再生装置４５の再生映像（目覚まし用映像ソフトの再生映像）をプロジェクタ装置１５に送り、プロジェクタ装置１５によって各ベッド１１，１２上に映像を投射する。このとき、再生される映像ソフトは１つであるが、ベッド１１，１２上の映像はベッド１１側とベッド１２側とで個別に明暗等が設定されたものとなっている（図のＰ１，Ｐ２）。映像再生装置４５には、設定装置１３から起床時刻情報などが適宜入力される。
【００６７】
目覚まし用映像ソフトは、二人のユーザＡ，Ｂ（ベッド１１，１２側）のいずれを先に起床させるか、又は二人同時に起床させるかに応じて、更には二人の起床時間のずれ時間に応じて区別して設定される。また、映像ソフトによる再生映像の明暗（眩しさ）の違いに応じて区別して設定される。
【００６８】
例えば、ユーザＡ，Ｂの起床パターン等を考慮して、次に挙げる各映像ソフトが用意される。
（１）ユーザＡが先、ユーザＢが後に起床し、そのずれ時間が６０分の場合に使用する映像ソフト（タイトル名：「Ａ＋６０分」）。
（２）ユーザＢが先、ユーザＡが後に起床し、そのずれ時間が３０分の場合に使用する映像ソフト（タイトル名：「Ｂ＋３０分」）。
（３）ユーザＡ，Ｂが同時に起床する場合に使用する映像ソフト（タイトル名：「ＡアンドＢ」）。
（４）ユーザＡのみを起床させる場合に使用する映像ソフト（タイトル名：「Ａオンリー」）。
【００６９】
ユーザは、就寝前に、翌朝先に起床する方の起床時刻（二人同時の場合は、同時起床時刻）を設定装置等に設定するとともに、翌朝に使用する映像ソフト（例えば上記の（１）〜（４）のいずれか）を映像再生装置４５に設定しておく。そして、ベッド１１，１２にて就寝する。これにより、翌朝には、所望とする時刻に、設定済みの映像ソフトが再生され、その再生過程でユーザが個別に起床する。
【００７０】
一例として、タイトル名「Ａ＋６０分」の映像ソフトを使って起床する場合を図１０を用いて説明する。図１０では、ユーザＡの起床時刻がＡＭ７：００であり、ユーザＢの起床時刻がＡＭ８：００である場合を想定している。図１０において、タイムチャートの下方には期間Ｔ１〜Ｔ４における映像パターンを併せ示している。
【００７１】
図１０において、ユーザＡの起床時刻よりも３０分前のＡＭ６：３０になると、目覚まし用映像ソフトの再生が始まる。このとき、映像パターンは図の“Ｔ１”となり、ユーザＡ側は薄明るい映像、ユーザＢ側は真っ暗な映像となっている。期間Ｔ１では、ユーザＡ側の再生映像として徐々に明るくなるシーンが投影される。その後、ユーザＡの起床時刻（ＡＭ７：００）になると、映像パターンは図の“Ｔ２”となり、ユーザＡ側は照度最大の明るい映像、ユーザＢ側は真っ暗な映像のままとなる。これにより、ユーザＡが起床する。
【００７２】
その後も映像ソフトの再生は継続され、ユーザＢの起床時刻よりも３０分前のＡＭ７：３０になると、映像パターンは図の“Ｔ３”となり、ユーザＡ側は明るい映像のまま、ユーザＢ側は薄明るい映像となる。期間Ｔ３では、ユーザＢ側の再生映像として徐々に明るくなるシーンが投影される。その後、ユーザＢの起床時刻（ＡＭ８：００）になると、映像パターンは図の“Ｔ４”となり、ユーザＡ側及びユーザＢ側共に、照度最大の明るい映像とる。これにより、ユーザＢも起床する。
【００７３】
以上第２の実施の形態によれば、上記第１の実施の形態と同様に、寝室１０内で複数の人が寝ている場合において各人にとって快適なる目覚めを実現することができる。
【００７４】
また、映像再生装置４５による再生映像をプロジェクタ装置１５により起床対象者に投影することで光覚醒を行うようにしたため、照射光の照射範囲や照射強さを調整するための調整装置（コントローラを含む）や機構などが不要となる。したがって、寝室内で寝ている人の個別覚醒を比較的簡易に実現することができる。
【００７５】
光覚醒時に再生される映像ソフトを、複数のユーザ（起床対象者）の起床順序、及び起床時刻の時間差に応じて個別に複数用意したため、どの映像ソフトを再生するかにより、上記の個別覚醒を好適に行わせることができる。
【００７６】
映像ソフトは、再生映像が徐々に明るくなるシーン（第１シーン）と、その後最大照度となるシーン（第２シーン）とを有するものであり、起床時刻よりも前に第１シーンが再生され、その後起床時刻に至った時に第２シーンが再生されるため、ユーザが希望する起床時刻に至るまでに睡眠深度を徐々に浅くすることができ、起床対象者を起床時刻に無理なく目覚めさせることができる。したがって、快適なる目覚め（光覚醒）が実現できる。
【００７７】
（第３の実施の形態）
本実施の形態では、寝室内に吊り天井である天蓋を設けるとともに、その天蓋に光源手段を組み込んだ構成について説明する。図１１は、寝室内に設置したベッド及び天蓋を示す。
【００７８】
図１１において、寝室には、横に並べて２つのベッド５１，５２が設置されている。ベッド５１，５２には共通のヘッドボード５３が設けられており、そのヘッドボード５３には目覚ましタイマの設定機能などを有する設定装置５４が設けられている。
【００７９】
また、ベッド５１，５２の上方には、天井５６から吊り下げるようにして天蓋５７が設置されている。この場合特に、天蓋５７は複数の支柱部５８により吊持されるとともに、その支柱部５８によって昇降可能となっている。天蓋５７を昇降させるための駆動システムを図１２に示す。なお、図１２に示す駆動システムは天井５６と天蓋５７との間に設置される。
【００８０】
図１２において、駆動源たるモータ６１は両出力軸タイプのモータであり、図の左右２つの出力軸６２ごとに駆動機構が設けられている。すなわち、各出力軸６２の先端部には、該出力軸６２の回転を、出力軸６２に対して直交方向に延びる２つの駆動軸６３に伝達するためのギアボックス６４が設けられている。このギアボックス６４は、出力軸６２の先端部に設けた傘歯車６４ａと、２つの駆動軸６３の先端部に各々設けた傘歯車６４ｂとを噛み合わせた構成となっており、このギアボックス６４を介してモータ６１の回転が各駆動軸６３に伝達される。
【００８１】
また、各駆動軸６３の先端部（傘歯車６４ｂとは逆側の端部）にはウォームギア６６が設けられ、そのウォームギア６６がヘリカルギア６７に噛み合っている。そして、ヘリカルギア６７の中心部に支柱部５８が設けられている。上記構成において、モータ６１が図のα方向に回転すると、その回転に伴い駆動軸６３が図のβ方向に回転し、更にヘリカルギア６７が図のγ方向に回転する。このとき、モータ６１の駆動に伴い４つのヘリカルギア６７が同様に回転する。
【００８２】
図１３には、天蓋５７、支柱部５８及びヘリカルギア６７の結合部における断面構造を示す。図１３に示すように、天蓋５７の上面には、ヘリカルギア６７が固定具６８により回転可能に固定されている。また、ヘリカルギア６７の内周部と支柱部５８の外周部とにはそれぞれネジ溝が形成されている。支柱部５８の上端部は天井５６に固定されている。この場合、上記図１２の駆動機構によりヘリカルギア６７が回転すると、その回転によりヘリカルギア６７自身が上下何れかの方向に移動する。このとき、ヘリカルギア６７と一緒に天蓋５７が上下何れかの方向に移動する。
【００８３】
支柱部５８の下端部には落下防止手段としてのストッパ６９が設けられており、このストッパ６９によって天蓋５７の落下防止が図られている。
【００８４】
一方、図１４に示すように、天蓋５７は、四角形状をなす外枠７１と、その外枠７１の内側に設けられ、矩形状の多数の開口７３を有する格子枠７２とから構成されている。また、格子枠７２には、多数の開口７３のうち特定位置の開口に照明器具７４が組み込まれている。照明器具７４は、例えば各ベッド５１，５２に対応させて１つずつ（計２個）設けられ、各照明器具７４によってベッド５１，５２上に寝ているユーザに対して個別に光照射が行われる。
【００８５】
図１５は、照明器具７４が組み込まれた部位の天蓋５７の断面構造を示す図である。図１５に示すように、格子枠７２の開口７３には、上下方向に貫通するようにして円筒状のガイド部７５が設けられ、そのガイド部７５の内側に照明器具７４が配設されている。ガイド部７５の内周面には鏡面加工が施されている。ガイド部７５によって、照明器具７４による照射光に指向性が付与されるとともに、照射光の拡散が抑制されるようになっている。また、ガイド部７５の外周部には人検知センサ７６が設けられており、この人検知センサ７６によって各ベッド５１，５２上に寝ている人の有無が検知されるようになっている。天蓋５７が昇降動作する際、照明器具７４も一緒に昇降動作する。
【００８６】
図１６は、設定装置５４の前面部の構成を示す図である。設定装置５４の前面部には、現在時刻や目覚まし時刻（アラーム時刻）を表示する時刻表示部８１と、設定時刻の操作を行うための時刻操作部８２と、左右２つの各ベッド５１，５２のうちいずれかのベッド（ユーザＡ，Ｂ）を選択するユーザ指定スイッチ８３と、アラームのＯＮ／ＯＦＦを行うためのアラームスイッチ８４と、読書照明のＯＮ／ＯＦＦを行うための照明スイッチ８５と、天蓋５７を昇降させるための昇降スイッチ８６と、スピーカ８７とが設けられている。この設定装置５４においては、ユーザが入力操作を行うことにより、各ベッド５１，５２で別々に就寝するユーザ（ユーザＡ，Ｂ）ごとに起床時間が設定される。また、昇降スイッチ８６の上昇又は下降のボタン操作により、天蓋５７が上昇又は下降し、それに伴い照明高さの変更などが行われる。
【００８７】
図１７は、上記した寝室内システムの電気的な構成を示す略図である。コントローラ９１は、周知のマイクロコンピュータ等を用いて構成される制御装置であり、このコントローラ９１には設定装置５４による各種の設定情報（起床時刻情報や天蓋５７の昇降指令情報など）が入力されるとともに、人検知センサ７６による検知信号が逐次入力される。コントローラ９１の設置場所は任意であるが、例えば設定装置５４と一体に設けられる。
【００８８】
コントローラ９１は、設定装置５４により設定されたユーザごとの起床時刻情報に基づいて照明器具７４による光照射などを実行する。このとき、コントローラ９１は、ユーザが心地よく目覚めることができるよう、光照度の可変調整を実施する。具体的には、ユーザが設定した起床時刻を基準に、所定時間前からユーザに対する光照射を開始する。そして、その後徐々に光照度を上げていき、起床時刻で丁度目が覚めるよう照度調整を実施する。
【００８９】
本実施の形態における具体的な目覚まし動作は、前述した図６に準ずるものであり、ここではその図６を再度用いて該目覚まし動作を説明する。なお、ベッド５１で就寝しているユーザＡの起床時刻がＡＭ７：００であり、ベッド５２で就寝しているユーザＢの起床時刻がＡＭ８：００である場合を想定している。
【００９０】
図６において、ユーザＡの起床時刻よりも３０分前のＡＭ６：３０になると、ユーザＡ側の光照射が開始される。その後、実際の起床時刻（ＡＭ７：００）に照射光の強さが最大となるように照度調整が行われる。そして、起床時刻（ＡＭ７：００）を過ぎ、ユーザの入力操作に伴いコントローラ９１に目覚まし停止信号が入力されると、その後ユーザＡ側の光照射が停止される。
【００９１】
目覚まし停止信号が入力されてもユーザが直ぐに起きるとは限らない。また、ユーザが起きたとしても、その後起きる準備等をしたりすることが考えられる。故に、目覚まし停止信号の入力後、所定時間が経過した後に、照明器具７４による光照射が停止されるようになっている。ただし、目覚まし停止信号により光照射を自動停止する構成は任意であり、ユーザが起床した後も、そのまま光照射の状態が継続されていても良い。
【００９２】
また、ユーザＢの起床時刻よりも３０分前のＡＭ７：３０になると、ユーザＢ側の光照射が開始される。その後、実際の起床時刻（ＡＭ８：００）に照射光の強さが最大となるように照度調整が行われる。そして、起床時刻（ＡＭ８：００）を過ぎ、ユーザの入力操作に伴いコントローラ９１に目覚まし停止信号が入力されると、その後ユーザＢ側の光照射が停止される。
【００９３】
以上第３の実施の形態によれば、上記第１の実施の形態等と同様に、寝室１０内で複数の人が寝ている場合において各人にとって快適なる目覚めを実現することができる。
【００９４】
また、天蓋５７に設置した照明器具７４を用い、ベッド５１，５２上で寝ているユーザに対して上方から照射光を浴びせるようにしたため、就寝中のユーザを確実に目覚めさせることができる。
【００９５】
天蓋５７を上下動可能としたため、例えば天蓋５７を下げて下がり天井とすることでユーザに安心感を与えたりすることが可能となる。したがって、睡眠の快適性を高めることができる。
【００９６】
天蓋５７において外枠７１の端部（ベッド上のユーザ足元側の端部）に電動式又は手動式のスクリーンを設置し、そのスクリーンを利用して映画等の映像を投影する構成とすることも可能である。この場合、ベッド５１，５２のヘッドボード５３側にプロジェクタ装置を設置し、そのプロジェクタ装置からの映像をスクリーン上に投影させるようにする。こうしてスクリーンに映像を投影する構成を具備する場合には、起床時において照明器具７４による光覚醒に連動させて、スクリーン上にヒーリング映像やその日のスケジュール等を投影することができる。これにより、心地よい起床が実現できる。この場合、人検知センサ７６の検出結果も考慮し、ベッド上に人が寝ていると検知されたことを条件にプロジェクタ投影を行う構成としても良い。
【００９７】
（第４の実施の形態）
本実施の形態では、複数の人が同時に寝ることのできる寝具装置においてユーザの個別覚醒を実現するものである。図１８及び図１９に、ダブルベッドに個別覚醒機能を付加した具体例を示す。図１８はベッド全体の構成を示す図であり、図１９はヘッドボードの構成を示す正面図である（ベッド上のユーザから見た図であり、特にベッド上の枕よりも上方となる部位について示している）。
【００９８】
図１８において、ベッド１０１は、二人の大人（ユーザＡ，Ｂ）が並んで寝るのに十分な大きさを有するものであり、そのヘッド側にはヘッドボード１０２が設けられている。ヘッドボード１０２には、ユーザの頭部上方に張り出すようにして張出部１０３が設けられており、その張出部１０３の下面に複数の照明ランプ１０４が取り付けられている。各照明ランプ１０４はいずれも下向に設けられており、これによりユーザの頭部に対して光照射が可能となっている。照明ランプ１０４は例えばＬＥＤランプよりなり、指向性を有する構成となっている。この複数の照明ランプ１０４が光覚醒用の光源手段に相当する。
【００９９】
図１９に示すように、照明ランプ１０４は、ベッド１０１上で就寝する左右のユーザごとに対応するよう二系統で設けられており、ユーザＡ，Ｂ（図１８参照）に対応させて各々７個ずつ取り付けられている。照明ランプ１０４は、左右の系統ごとに個別にＯＮ／ＯＦＦ、及び照度調整が可能となっている。各照明ランプ１０４は、任意の方向に揺動自在の構成を有しており、その構成を図２０の（ａ），（ｂ）に示す。
【０１００】
照明ランプ１０４は、光源を有するランプ本体１０５と、ヘッドボード１０２側に取り付けられるベース体１０６とを有し、それら両者が軸ピン１０７によって回転自在に連結されている。また、ベース体１０６はその長手方向の中心線周りに回転可能となっており、そのヘッドボード側端部にはフリクションスプリング１０８が設けられている。本構成によれば、照明ランプ１０４は、ベース体１０６が中心線周りに回転自在となり、さらにベース体１０６に対してランプ本体１０５が揺動可能となる。したがって、ユーザが望む方向に照明方向を手動調整でき、読書用照明として利用する場合にも使い勝手の良いものとなっている。なお、照明方向の角度はフリクションスプリング１０８によって保持される。
【０１０１】
ヘッドボード１０２には、ユーザごと（系統ごと）に２つの設定装置１１１，１１２が埋め込まれており、設定装置１１１，１１２の前面部がベッド側に露出している。設定装置１１１，１１２の前面部には、現在時刻や目覚まし時刻（アラーム時刻）を表示する時刻表示部や、設定時刻の操作を行うための時刻操作部や、読書照明及びアラームのＯＮ／ＯＦＦを切り替えるための切替スイッチが設けられている。なお、切替スイッチは３位置切替タイプのスイッチ片を有しており、そのスイッチ片によって、（１）読書照明ＯＮ＆アラームＯＦＦ、（２）読書照明ＯＦＦ＆アラームＯＦＦ、（３）読書照明ＯＦＦ＆アラームＯＮの３状態の切り替えが可能となっている。
【０１０２】
また、ヘッドボード１０２には、２つの設定装置１１１，１１２に各々対応する２つのコントローラ１１３，１１４が埋設されている。コントローラ１１３，１１４は、設定装置１１１，１１２により設定されたユーザごとの起床時刻情報等に基づいて照明ランプ１０４による光照射などを実行する。このとき、コントローラ１１３，１１４は、ユーザが心地よく目覚めることができるよう光照度の可変調整を実施する。具体的には、ユーザが設定した起床時刻を基準に、所定時間前からユーザに対する光照射を開始する。そして、その後徐々に光照度を上げていき、起床時刻で丁度目が覚めるよう照度調整を実施する。
【０１０３】
ベッド１０１においては専用の長枕１２１が使用される。図２１は長枕１２１の構成を示す平面図である。長枕１２１はユーザＡ，Ｂで共用され、その枕内部には２つのセンサユニット１２２が埋設されている。センサユニット１２２は、ユーザが枕上に頭を載せた時に所定レベルの電気信号を出力するものであり、複数個のセンサ素子１２２ａが直列に接続される構成となっている。このセンサユニット１２２が人検知手段に相当する。なお、センサ素子１２２ａとして、感圧式のセンサや音検知式のセンサ等が適用できる。
【０１０４】
また、長枕１２１にはセンサ信号を出力する信号線１２３が系統ごとに設けられており、信号線１２３の先端部には差込プラグ１２４が設けられている。この差込プラグ１２４をベッド１０１の所定の差込口に差し込むことにより、センサユニット１２２の検出信号がベッド側のコントローラ１４３，１４４に取り込まれるようになっている。コントローラ１４３，１４４は、センサユニット１２２の検出信号に基づいて、ベッド１０１上で寝ているユーザの頭部位置を検知し、その頭部位置に合わせて光照射を実行する。
【０１０５】
本実施の形態における具体的な目覚まし動作は、前述した図６に準ずるものであり、ここではその図６を再度用いて該目覚まし動作を説明する。なお、ベッド１０１で就寝している二人のユーザＡ，Ｂのうち、ユーザＡの起床時刻がＡＭ７：００であり、ユーザＢの起床時刻がＡＭ８：００である場合を想定している。
【０１０６】
図６において、ユーザＡの起床時刻よりも３０分前のＡＭ６：３０になると、ユーザＡ側の光照射が開始される。その後、実際の起床時刻（ＡＭ７：００）に照射光の強さが最大となるように照度調整が行われる。そして、起床時刻（ＡＭ７：００）を過ぎ、ユーザの入力操作に伴いコントローラ１４１に目覚まし停止信号が入力されると、その後ユーザＡ側の光照射が停止される。
【０１０７】
目覚まし停止信号が入力されてもユーザが直ぐに起きるとは限らない。また、ユーザが起きたとしても、その後起きる準備等をしたりすることが考えられる。故に、目覚まし停止信号の入力後、所定時間が経過した後に、照明器具７４による光照射が停止されるようになっている。ただし、目覚まし停止信号により光照射を自動停止する構成は任意であり、ユーザが起床した後も、そのまま光照射の状態が継続されていても良い。
【０１０８】
また、ユーザＢの起床時刻よりも３０分前のＡＭ７：３０になると、ユーザＢ側の光照射が開始される。その後、実際の起床時刻（ＡＭ８：００）に照射光の強さが最大となるように照度調整が行われる。そして、起床時刻（ＡＭ８：００）を過ぎ、ユーザの入力操作に伴いコントローラ１４１に目覚まし停止信号が入力されると、その後ユーザＢ側の光照射が停止される。
【０１０９】
以上第４の実施の形態によれば、やはり上記の各実施の形態と同様、寝室１０内で複数の人が寝ている場合において各人にとって快適なる目覚めを実現することができる。
【０１１０】
また、ベッド上で用いる長枕１２１に、ユーザの頭部位置を検知するセンサユニット１２２を内蔵したため、ベッド上に寝ている人の頭部に対して確実に照射光を当てることができる。
【０１１１】
（第５の実施の形態）
本実施の形態では、ベッド上で用いる枕に光覚醒機能を付加し、その光覚醒によりユーザを覚醒させるものである。図２２は、光覚醒機能を有する目覚まし枕１６０の全体構成を示す一部破断斜視図である。
【０１１２】
図２２の目覚まし枕１６０において、枕本体１６１は、発泡性低反発樹脂（例えば、ポリウレタンの連続気泡発泡材料）にて成型されており、平面視形状が横長の長方形状をなすものとなっている。枕本体１６１の片面（図の上面）が頭載せ部１６２となっており、その頭載せ部１６２は中央が緩やかに凹んだ形状となっている。枕本体１６１の底面側には、その長手方向に延びるようにして凹部１６３が形成されている。また、枕本体１６１には、頭載せ部１６２と凹部１６３とを連通する複数の貫通孔１６４が形成されている。貫通孔１６４は、例えば均等間隔で点在して設けられ、いずれも同方向を向くように互いに平行に設けられている。
【０１１３】
また、枕本体１６１の凹部１６３には、枕本体１６１の内部で発光する光源装置１６６が設けられている。光源装置１６６は、凹部１６３内に収容可能な大きさで作製されており、底板１６７上に載置された状態で光源装置１６６が枕本体１６１に組み付けられている。光源装置１６６及びその周辺部材の詳細な構成を以下に説明する。
【０１１４】
底板１６７は凹部１６３の開口と同形状・同サイズにて形成されており、その底板１６７上に反射鏡１６８が固定されている。反射鏡１６８は長尺板状をなし、その短手方向が弧状に湾曲した形状となっている。反射鏡１６８は集光板としても機能する。また、底板１６７上には、反射鏡１６８の長手方向両側に一対のランプソケット１７０が設けられており、そのランプソケット１７０の間に蛍光灯１７１が取り付けられている。この場合、蛍光灯１７１が発光すると、その光が反射鏡１６８によって上方に反射される。その際、枕本体１６１の貫通孔１６４を通じて枕上方（頭載せ部１６２側）に光が放出される。なお、反射鏡１６８には、蛍光灯１７１を保護するためのワイヤ等の光源保護部材１７２が取り付けられている。
【０１１５】
また、底板１６７上には、目覚ましタイマの設定機能などを有する設定装置１８０が設けられている。設定装置１８０はその一面（設定操作面）が枕本体１６１から外部に露出しており、その設定操作面には、現在時刻や目覚まし時刻（アラーム時刻）を表示する時刻表示部１８１や、設定時刻の操作を行うための時刻操作部１８２や、アラームのＯＮ／ＯＦＦを切り替えるための切替スイッチ１８３が設けられている。
【０１１６】
その他、底板１６７上には香り発生装置１８５が設けられている。この場合、香り発生装置１８５から発生する香りによって、入眠時における精神安定効果が得られる。また、ストレスを軽減したり、リラクゼーションを促したりする効果も期待できる。
【０１１７】
本実施の形態においても、上記の各実施の形態で説明したように、設定装置１８０内のコントローラ（図示略）が、起床時刻よりも前（例えば起床時刻前３０分）に光源装置１６６による光照射を開始し、その後起床時刻に至った時に照射光の強さが最大となるよう照射光の強さを徐々に大きくすると良い。これにより、ユーザが希望する起床時刻に至るまでに睡眠深度を徐々に浅くすることができ、起床対象者を起床時刻に無理なく目覚めさせることができる。
【０１１８】
以上第５の実施の形態によれば、光源装置１６６を内蔵した目覚まし枕１６０を用い、起床時刻に応じて光源装置１６６を発光させて照射光を外部に放射させるようにしたため、各ユーザに対して照射光による個別覚醒が実現できる。この場合、目覚まし枕１６０上には就寝者の頭が載っているため、目覚まし枕１６０から光が直接照射される構成はユーザを起床させる上で効果的な手段であると考えられる。
【０１１９】
目覚まし枕１６０において、頭載せ部１６２に貫通孔１６４（光透過孔）を開口させるようにしたため、照射光は基本的に上方にのみ放射されることとなり、側方に別人（同室者）が寝ていたとしても、その別人への影響を小さくできる。
【０１２０】
上記の目覚まし枕１６０に人検知センサを設置し、その人検知センサの検知結果に基づいて光照射を実行する構成としても良い。これにより、実際に目覚まし枕１６０を使っている場合のみ光照射が行われ、不要な光照射を行わせないようにすることができる。
【０１２１】
また、目覚まし枕１６０を複数人で共用できる長枕としても良い。この場合、複数の光源装置を内蔵する構成とし、個々に光照射できる構成とする。
【０１２２】
上記の各実施の形態において、照射光による目覚まし（覚醒）に加え、音声や振動による目覚まし（覚醒）を行うようにする。この場合、ユーザの個別覚醒を行うには上記のような光覚醒手法が望ましいが、ユーザの目覚めが悪い場合等において音声や振動による目覚まし（覚醒）を適宜行うと良い。
【図面の簡単な説明】
【０１２３】
【図１】住宅内に設けられた寝室の概略構成を示す図。
【図２】プロジェクタ装置の光軸方向を可変調整した状態を示す図。
【図３】プロジェクタ装置の構成を示す斜視図。
【図４】図３（ａ）のＡ−Ａ線断面図。
【図５】コントローラを中心とする電気的な構成の概略を示す図。
【図６】プロジェクタ装置による目覚まし動作を説明するためのタイムチャート。
【図７】各ベッドに寝ているユーザＡ，Ｂへの実際の光照射状況を示す略図。
【図８】各ベッドに寝ているユーザＡ，Ｂへの実際の光照射状況を示す略図。
【図９】第２の実施の形態における光覚醒システムの概要を示す図。
【図１０】プロジェクタ装置による目覚まし動作を説明するためのタイムチャート。
【図１１】第３の実施の形態において寝室内に設置したベッド及び天蓋を示す図。
【図１２】天蓋を昇降させるための駆動システムを示す図。
【図１３】天蓋、支柱部及びヘリカルギアの結合部における断面構造を示す図。
【図１４】天蓋の形状を示す図。
【図１５】照明器具が組み込まれた部位の天蓋の断面構造を示す図。
【図１６】設定装置の前面部の構成を示す図。
【図１７】寝室内システムの電気的な構成を示す略図。
【図１８】第４の実施の形態においてダブルベッドに個別覚醒機能を付加した具体例を示す図。
【図１９】ヘッドボードの構成を示す図。
【図２０】照明ランプの構成を示す図。
【図２１】長枕の構成を示す平面図。
【図２２】第５の実施の形態において目覚まし枕の全体構成を示す一部破断斜視図。
【符号の説明】
【０１２４】
１０…寝室、１１，１２…ベッド、１３…設定装置、１５…プロジェクタ装置、１６…スクリーン、４１…コントローラ、４５…映像再生装置、５１，５２…ベッド、５７…天蓋、７４…照明器具、７６…人検知センサ、１０１…ベッド、１０２…ヘッドボード、１０４…照明ランプ、１２１…長枕、１２２…センサユニット、１６０…目覚まし枕、１６４…貫通孔、１６６…光源装置。
【図１】
0004823723.tif 000002
【図２】
0004823723.tif 000003
【図３】
0004823723.tif 000004
【図４】
0004823723.tif 000005
【図５】
0004823723.tif 000006
【図６】
0004823723.tif 000007
【図７】
0004823723.tif 000008
【図８】
0004823723.tif 000009
【図９】
0004823723.tif 000010
【図１０】
0004823723.tif 000011
【図１１】
0004823723.tif 000012
【図１２】
0004823723.tif 000013
【図１３】
0004823723.tif 000014
【図１４】
0004823723.tif 000015
【図１５】
0004823723.tif 000016
【図１６】
0004823723.tif 000017
【図１７】
0004823723.tif 000018
【図１８】
0004823723.tif 000019
【図１９】
0004823723.tif 000020
【図２０】
0004823723.tif 000021
【図２１】
0004823723.tif 000022
【図２２】
0004823723.tif 000023